(57)【要約】【課題】比較的薄型のパウチにおいても自立性を持たせるようにすることを課題とする。【解決手段】パウチの外縁と連続しないように切り込み線４０が左右のサイドシール部３１にそれぞれ対向して形成され、該切り込み線４０の外側に位置する折り曲げ代部１４を折り曲げ線４３で表裏方向に折り曲げることで自立する。折り曲げ代部１４を折り曲げることで形成される左右の孔に、内容物を絞り出す際に使用する治具を通すことができる。両切り込み線４０間に位置する主部１３の幅は上下方向中央部分が幅狭となっている。【選択図】図１
2010280397.tif 000002
【特許請求の範囲】
【請求項１】
パウチの外縁と連続しないように切り込み線がシール部に形成され、該切り込み線が形成されたシール部を表裏方向に折り曲げることで自立可能に構成されていることを特徴とするパウチ。
【請求項２】
左右のサイドシール部の少なくとも下側部分にそれぞれ切り込み線が対向するように形成されている請求項１記載のパウチ。
【請求項３】
左右両切り込み線はそれぞれサイドシール部の上側部分まで伸びていて、両切り込み線間の幅は上下方向中央部分が幅狭となっている請求項２記載のパウチ。
【発明の詳細な説明】
【技術分野】
【０００１】
本発明は、比較的薄型のパウチに関し、特に流動食用に適したパウチに関するものである。
【背景技術】
【０００２】
従来、例えば下記特許文献１記載のように底部ガセットを有して自立性を持たせた、いわゆるスタンディングパウチが知られている。
【０００３】
しかしながら、底部ガセット付きのスタンディングパウチは比較的厚いので、薄型の流動食用パウチとしては不向きである。また、流動食のような内容物の場合には底部ガセット付きでは内容物の絞り出し作業も行いにくい。
【０００４】
従って、流動食のような内容物の充填用には、底部ガセットを有しない平パウチや薄型のサイドガセットパウチが多用されている。しかしながら、例えば医療現場では開封後にそのパウチを一旦立てておきたいことがあるが、これらの平パウチ等は自立性がないので、壁などに立てかけているのが現状であり、必ずしも作業性に優れているものではなく、平パウチ等のような比較的薄型のパウチにおいて自立性を有するものが求められる。
【先行技術文献】
【特許文献】
【０００５】
【特許文献１】特開平８−３１８９５４号公報
【発明の概要】
【発明が解決しようとする課題】
【０００６】
それゆえに本発明は上記従来の問題点に鑑みてなされ、比較的薄型のパウチにおいても自立性を持たせるようにすることを課題とする。
【課題を解決するための手段】
【０００７】
本発明は上記課題を解決すべくなされたものであって、本発明に係るパウチは、パウチの外縁と連続しないように切り込み線がシール部に形成され、該切り込み線が形成されたシール部を表裏方向に折り曲げることで自立可能に構成されていることを特徴とする。
【０００８】
該構成のパウチにあっては、切り込み線が形成されたシール部を表面側あるいは裏面側に向けて折り曲げることで自立させることができる。
【０００９】
特に、左右のサイドシール部の少なくとも下側部分にそれぞれ切り込み線が対向するように形成されていることが好ましい。例えば、内容物が流動食である場合、絞り出し用治具を使用して流動食をパウチから絞り出すことがある。該治具はスリットが軸線方向に伸びて形成された棒状体を有していて、該スリットによって棒状体が半割状に二分されている。そして、該治具のスリットにパウチの下側部分を差し込み、治具をその軸線回りに回転させることで治具の周面にパウチを巻き付けながら内容物を絞り出すことができる。このように治具を使用する場合には、左右のサイドシール部における切り込み線の外側の領域をそれぞれ同じ方向（例えば表面側）に折り曲げ、治具のスリットにパウチの下側部分を差し込むと、折り曲げによって形成されて互いに対向する左右の孔に、治具の半割部分（スリットによって二分された棒状体の片方）を通すことができる。従って、治具を回転させてパウチを巻き付け始める際に、パウチが相対的に上側に移動して治具のスリットから抜けるということがなく、確実に巻き付け作業即ち内容物の絞り出し作業を行うことができる。
【００１０】
また、左右両切り込み線はそれぞれサイドシール部の上側部分まで伸びていて、両切り込み線間の幅は上下方向中央部分が幅狭となっていることが好ましい。サイドシール部の上側部分まで切り込み線が伸びていると、折り曲げた左右のシール部を取手の如く一纏めにして持つこともできる。また、折り曲げた左右のシール部を持つのではなく、切り込み線の内側の部分であるパウチの主部を持つこともでき、その状態で内容物を手で絞り出すということもできる。このようにパウチの主部を把持する際に、両切り込み線間の幅即ちパウチの主部の幅が上下方向中央部分において幅狭となっていると、パウチの主部を把持しやすく内容物の絞り出し作業も楽に行うことができる。
【発明の効果】
【００１１】
以上のように、切り込み線によって自立性を有するので、自立性のある薄型パウチが得られ、特に流動食用に適していて、内容物の絞り出し作業の作業性にも優れている。また、切り込み線がパウチの外縁と連続していないので、パウチの切り込み線が外縁から連続する場合のように切り込み線からパウチに亀裂が入るということがなく、保管や輸送において安全である。
【図面の簡単な説明】
【００１２】
【図１】本発明の一実施形態におけるスパウト付きのパウチを示す正面図。
【図２】同実施形態におけるパウチの自立状態を示す斜視図。
【図３】同実施形態におけるパウチの一使用状態を示す正面図。
【図４】同実施形態におけるパウチの一使用状態を示す要部側面図。
【図５】本発明の他の実施形態におけるスパウト付きのパウチを示す正面図。
【図６】同実施形態におけるパウチの自立状態を示す側面図。
【発明を実施するための形態】
【００１３】
以下、本発明の一実施形態にかかるスパウト付きのパウチについて図１乃至図４を参酌しつつ説明する。図１に示すスパウト付きのパウチは、種々の内容物、特に流動食を内容物として収容するのに適した平パウチであって、表裏一対のシート片１１，１２の周縁部をヒートシールすることにより袋状に形成されて内容物を収容可能なパウチ本体１と、該パウチ本体１の上端部に取り付けられて内容物の充填及びその取り出しに使用されるスパウト２と備えている。
【００１４】
パウチ本体１は、底部及びサイドにガセットを有しない平パウチであって、上下方向に長い略長方形状に形成されてその周縁部がヒートシールされたものである。図１及び図３において多数のドットを付している領域がヒートシールされたシール部である。即ち、パウチ本体１のシール部は、底部シール部３０と、左右一対のサイドシール部３１と、スパウト２が装着されている上端シール部３２とからなる。尚、該スパウト２は、三方がヒートシールされて上端部がヒートシールされずに開口する状態のパウチ本体１に挿入され、パウチ本体１の上端部をヒートシールする際に同時にヒートシールされてパウチ本体１に固着される。
【００１５】
また、左右一対のサイドシール部３１は、底部シール部３０や上端シール部３２よりもその幅が広く形成されており、更には上下方向に沿って幅一定に形成されている。そして、左右一対のサイドシール部３１には、それぞれ切り込み線４０が形成されている。該切り込み線４０は、左右対称形状に形成されており、詳細には、左右方向（パウチの幅方向）に伸びる横線部４１と、上下方向に伸びる縦線部４２とからなる。縦線部４２はサイドシール部３１の略全長に亘って伸びていて、その上下方向の中央部分において内向きに凹んだ曲線状に形成されている。また、該縦線部４２の上下両端からそれぞれ内向きに横線部４１が形成され、該横線部４１は直線状に形成されている。従って、切り込み線４０は、縦線部４２と上下一対の横線部４１とから全体として略コの字状あるいは略Σ状に形成されている。尚、縦線部４２と横線部４１の境界部分は円弧状となっている。また、切り込み線４０はその全長に亘って表裏方向（厚み方向）に貫通したものとなっている。以上のようにサイドシール部３１に切り込み線４０が形成されることにより、パウチ本体１は、両切り込み線４０の内側（両切り込み線４０間）に位置する主部１３と、両切り込み線４０の外側に位置する略コの字状の左右一対の折り曲げ代部１４とに、大きく分けられることになり、主部１３は正面視において略鼓形状となっている。
【００１６】
ここで、パウチ本体１を構成するシートとしては、例えば、二軸延伸ポリエステルフィルムや二軸延伸ポリアミドフィルム等よりなる外層と、低密度ポリエチレン、高密度ポリエチレン、鎖状低密度ポリエチレン、ポリプロピレンやメタロセン系ポリエチレン等の熱融着性樹脂よりなる内層とを備えた多層ラミネートフィルムが使用され、また、エチレンビニルアルコール共重合体やアルミニウム箔、酸化ケイ素等の無機物を蒸着したフィルム等のような、ガスバリア性フィルム等を更に積層したものも好適であり、特に医療に使用されることが多い流動食用にはアルミニウム箔等のガスバリア性フィルムを積層したものが好ましい。
【００１７】
前記スパウト２は、パウチ本体１を構成するシートの内面にヒートシール可能な合成樹脂（ポリエチレンやポリプロピレン等の熱融着性樹脂）から形成されており、一般には成形により一体的に形成される。該スパウト２は、具体的には、パウチ本体１の上端部において表裏一対のシート片１１，１２に狭持されるようにヒートシールにより固着される取付部２０と、該取付部２０からパウチ本体１の外部即ち上方に突出するように形成された口部２１と、取付部２０からパウチ本体１の内部（収容空間）即ち下方に突出するように形成された内方延在部２２とを備えている。尚、取付部２０は、中央から両側部にかけて徐々に前後方向の厚みが薄くなった横断面視略舟形の形状となっている。また、口部２１には、その上端開口を封止するためのキャップ２３が螺着されると共に、その下側には上下一対の矩形の鍔部２５，２６が形成されている。内方延在部２２は、下方に向けて徐々に先細りとなる板状部２２ａと、該板状部２２ａの表裏両面それぞれの幅方向中央に立設されてその突出量が下方に向けて徐々に低くなった縦リブ２２ｂとから、全体として横断面視略十字状に形成されている。また、板状部２２ａの根元部分には半円状の貫通孔２２ｃが形成されており、パウチ本体１の内容物は、この貫通孔２２ｃから取付部２０及び口部２１の連通孔（図示しない）を通って口部２１の上端開口から外部へと排出されることになる。
【００１８】
尚、このスパウト付きのパウチは、上端部が開口した三方シール状態のパウチ本体１にスパウト２を差し込んでパウチ本体１の上端部を封着すると共にスパウト２を固着し、その後、スパウト２から内容物を充填した後にキャップ２３を装着するのであるが、このスパウト２をパウチ本体１に装着する前に予めパウチ本体１に切り込み線４０を例えばダイカッター（打ち抜き）やトムソン刃等により形成しておくことが好ましい。
【００１９】
以上のように構成されたスパウト付きのパウチにあっては、輸送時や保管時には図１のような未折り曲げ状態にある。従って、既にリブ等の凹凸形状がサイドシール部等に形成されている形態に比べると表面の凹凸がなく、周囲の物に引っかかったりしにくくて輸送や保管に便利である。
【００２０】
そして、使用に際しては切り込み線４０の両端を起点とした上下方向に伸びる折り曲げ線４３（図１に二点鎖線で示している）で左右一対の折り曲げ代部１４を表面側あるいは裏面側に折り曲げることができる。例えば裏面側に折り曲げると図２及び図３に示すようになって、折り曲げられた左右の折り曲げ代部１４によってパウチを自立させることが可能になる。例えば内容物として流動食を収容するものである場合、キャップ２３を外してスパウト２を開口させ、そのスパウト２に図示しないアダプターを介してチューブを接続するという作業が行われるが、その接続の際に一旦パウチを自立させておくことができるので、チューブの接続作業をスムーズに行うことができる。
【００２１】
また、図３及び図４に二点鎖線にて示しているような絞り出し用治具１００を使用して流動食をパウチから絞り出すことも行われる。該治具１００は、図４のようにスリット１０１が軸線方向に伸びて形成された棒状体を有していて、該スリット１０１によって棒状体が半割状に二分されたものである。図２のように左右の折り曲げ代部１４を折り曲げると、この折り曲げによって互いに対向する左右一対の縦長の孔４４が形成される。従って、図４のように治具１００のスリット１０１にパウチ本体１の主部１３を差し込むと、図３及び図４のように治具１００の半割部分（スリット１０１によって二分された棒状体の片方）が左右の孔４４を貫通することになる。従って、治具１００が両折り曲げ代部１４によって支えられた状態となって下方に治具１００が抜け落ちるということがなく、容易に治具１００を回転させてその周面にパウチ本体１を巻き付けて内容物を絞り出すということができる。また、パウチ本体１が平パウチであるので底部ガセットを有する形態に比して薄型であり、治具１００のスリット１０１に主部１３を容易に差し込んで絞り出すことができる。
【００２２】
更に、切り込み線４０がパウチ本体１の下側部分のみならず上側部分まで伸びていてサイドシール部３１の略全長に亘って形成されているので、折り曲げた左右の折り曲げ代部１４を取手のように一纏めにして掴んでパウチを持つこともできる。
【００２３】
また、パウチ本体１の主部１３を直接把持して持つこともでき、その状態で内容物を手で絞り出すということもできる。その際、図２のようにパウチの主部１３の幅が上下方向中央部分において幅狭となっているので、パウチ本体１の主部１３を把持しやすく、内容物の絞り出し作業を楽に行うことができる。
【００２４】
更に、切り込み線４０の縦線部４２と横線部４１との境界部分が円弧状になっているので、主部１３の四隅も先鋭な形状にはならず、そこに手が当たって痛くなるということもない。
【００２５】
尚、本実施形態では、切り込み線４０の縦線部４２を曲線状としたが、例えば、上下方向の中央部分でくの字状に屈曲する上下二つの直線から縦線部４２を構成したり、あるいは、滑らかな曲線状ではなく波形としたりしてもよい。
【００２６】
また、縦線部４２を直線状とすることもできる。但し、上述のように上下方向中央分において主部１３が幅狭となるように縦線部４２を形成すれば、主部１３を把持しやすいため好ましい。
【００２７】
また更に、左右の切り込み線４０を左右対称形状としたが、左右非対称としても無論よく、左右の切り込み線４０の上下方向の長さが互いに異なっていてもよい。更に、左右の切り込み線４０をパウチ本体１の下側部分にのみ形成してもよく、逆に、上側部分と下側部分にそれぞれ分離独立した切り込み線４０を形成してもよい。
【００２８】
尚、縦線部４２と横線部４１とからなる切り込み線４０とするのではなく、縦線部４２のみの切り込み線４０としてもよく、切り込み線４０の形状は任意である。
【００２９】
また、サイドシール部３１に切り込み線４０を形成する他、あるいは、それと共に底部シール部３０に切り込み線４０を形成することもできる。例えば、図５に示すスパウト付きのパウチは、浅い（即ち幅の比較的狭い）サイドガセットを有するものであって、その底部シール部３０に切り込み線５０が形成されている。尚、図５においてもシール部には多数のドットを付している。そして、切り込み線５０は、左右一対の縦線部５２と両縦線部５２の下端同士を左右に連結する横線部５１とから全体としてコの字状に形成されている。底部シール部３０において切り込み線５０の外側の領域５５と内側の領域５６を、二点鎖線で示す横方向に伸びる折り曲げ線５３にてそれぞれ表裏方向に折り曲げると自立させることができる。即ち、図６のように底部シール部３０における切り込み線５０の外側の領域５５と内側の領域５６を互いに逆向きに折り曲げて側面視ハの字状の脚とすることでパウチを自立させることができる。
【００３０】
このように、平パウチやサイドガセットパウチなど、パウチの形態についても種々の形態のものに適用可能であって、本来自立性を有しない形態のパウチに自立性を持たせることができる。
【００３１】
尚、上記実施形態では全長に亘って貫通した切り込み線について説明したが、厚み方向の途中まで形成された切り込み線とし、折り曲げ時に手で切断するようにしてもよい。また、全長のうちの一部分を貫通させずに残した不連続な切り込み線として同じく折り曲げ時に手でその不連続な部分を切断するようにしてもよい。このように厚み方向の途中まで形成した切り込み線や不連続な部分を有する切り込み線として使用時である折り曲げ時において切断するようにすれば、折り曲げるまでの保管時や輸送時においてシール部が折れ曲がりにくくなってパウチの形状が安定するので、保管や輸送が便利になる。
【００３２】
また、切り込み線の両端に貫通した小孔を形成してもよい。上述したように切り込み線はパウチ本体１の外縁に達していないので、そもそも切り込み線の両端からパウチ本体１に亀裂が入るということは起こりにくいけれども、切り込み線の両端に小孔を形成すれば、より一層確実に亀裂の発生を防止することができる。
【００３３】
尚、スパウト付きのパウチについて説明したが、スパウト２を有しないパウチにも適用可能である。
【符号の説明】
【００３４】
１    パウチ本体
２    スパウト
１１    表側のシート片
１２    裏側のシート片
１３    主部
１４    折り曲げ代部
１５    サイドガセット
２０    取付部
２１    口部
２２    内方延在部
２２ａ  板状部
２２ｂ  縦リブ
２２ｃ  貫通孔
２３    キャップ
２５    鍔部
２６    鍔部
３０    底部シール部
３１    サイドシール部
３２    上端シール部
４０    切り込み線
４１    横線部
４２    縦線部
４３    折り曲げ線
４４    孔
５０    切り込み線
５１    横線部
５２    縦線部
５３    折り曲げ線
５５    外側の領域
５６    内側の領域
１００  治具
１０１  スリット
【図１】
2010280397.tif 000003
【図２】
2010280397.tif 000004
【図３】
2010280397.tif 000005
【図４】
2010280397.tif 000006
【図５】
2010280397.tif 000007
【図６】
2010280397.tif 000008